(57)【要約】【課題】ビニール袋だけによる排泄物の処理に伴う飼い主の不快感を解消しながら、従来の排泄物処理用具のように携帯が困難でなく愛玩動物にストレスを与えない簡便な排泄物処理用具を提供する。【解決手段】本考案の排泄物処理用具１０は、二つの先端部を有する把持部材１と、把持部材１に結合した袋体２とを備えており、把持部材１の前記二つの先端部を互いに接触させることが可能である。【選択図】図１
0003104728.tif 000002
【実用新案登録請求の範囲】
【請求項１】
二つの先端部を有する把持部材と、前記把持部材に結合した袋体とを備えた排泄物処理用具であって、前記把持部材の前記二つの先端部を互いに接触させることが可能である、排泄物処理用具。
【請求項２】
前記二つの先端部が互いに接触した時に、前記二つの先端部が同一平面上に存在する、請求項１に記載の排泄物処理用具。
【請求項３】
前記把持部材が一以上の切り込みを有する、請求項１又は２に記載の排泄物処理用具。
【請求項４】
前記把持部材が少なくとも二対の切り込みを有する、請求項１又は２に記載の排泄物処理用具。
【考案の詳細な説明】
【技術分野】
【０００１】
本考案は、排泄物処理用具に関し、特に、愛玩動物用の排泄物処理用具に関する。
【背景技術】
【０００２】
犬、猫などの愛玩動物は、その健康保持のために戸外で散歩や運動をさせることが不可欠であるが、その際に道路上や公園内で排泄をしてしまうことが多い。このような公共の場所に排泄物が放置されると、美観や衛生の面で一般の人々の迷惑となり得る。
【０００３】
そこで、愛玩動物の飼い主は散歩の際に糞を入れるためのビニール袋等を携帯していることが一般的であるが、糞を掴むための器具を携帯していない場合には、飼い主は糞をビニール袋に入れる際にビニール袋越しに糞を掴む必要がある。そのため、飼い主は糞を掴む際に不快感を覚えることがあり、また糞を入れたビニール袋をポケットに入れる場合などにも糞の感触による不快感を覚えることがある。
【０００４】
上記問題を解決するために、ビニール袋に代わる排泄物処理用具が種々考案されているが、飼い主が散歩の際に携帯するには大きくて重いものであったり、愛玩動物にストレスを与えるものであったりして、十分な実用性を有するといえるものは未だ公表されていない。
【特許文献１】実開平４−４８９５９号公報
【特許文献２】実開平５−３１５６１号公報
【考案の開示】
【考案が解決しようとする課題】
【０００５】
本考案が解決しようとする課題は、ビニール袋だけによる排泄物の処理に伴う飼い主の不快感を解消しながら、従来の排泄物処理用具のように携帯が困難でなく愛玩動物にストレスを与えない簡便な排泄物処理用具を提供することである。
【課題を解決するための手段】
【０００６】
本考案による排泄物処理用具は、二つの先端部を有する把持部材と、前記把持部材に結合した袋体とを備えた排泄物処理用具であって、前記把持部材の前記二つの先端部を互いに接触させることが可能であることにより、上記課題を解決する。
【０００７】
前記二つの先端部が互いに接触した時に、前記二つの先端部が同一平面上に存在してもよい。
【０００８】
前記把持部材は一以上の切り込みを有してもよい。
【０００９】
前記把持部材は少なくとも二対の切り込みを有してもよい。
【考案の効果】
【００１０】
本考案の排泄物処理用具によれば、使用者は排泄物の触感による不快感を感じることなく排泄物を処理することができる。また、本考案の排泄物処理用具はかさばらないため保管及び携帯が容易であり、複雑な装置を使った場合に必要な後始末は不要である上に、愛玩動物にストレスを与えずに排泄物を処理することができる。
【００１１】
さらに、本考案の排泄物処理用具によれば、排泄物の処理に多くの費用が掛からず、簡単かつ衛生的な処理が可能となる。そのため、使用者が子供であっても排泄物の処理を容易にすることができる。
【考案を実施するための最良の形態】
【００１２】
以下、図面を参照しながら本考案の実施の形態について説明する。
【実施例１】
【００１３】
図１は、本考案による排泄物処理用具１０の外観図である。排泄物処理用具１０は、把持部材１と、結合点９において把持部材１と結合した袋体２を備えている。
【００１４】
把持部材１は、未使用時には箱の蓋状の外観を有しており、好適には厚紙により構成される。把持部材１は、各種の紙、金属又は合成樹脂等の折り曲げ可能な材料により構成されていてもよい。
【００１５】
袋体２は、好適にはポリエチレン、ポリ塩化ビニル等の合成樹脂製の袋である。また、袋体２は、紙、布又は皮革等の柔軟性を有する材料により構成された袋であってもよい。
【００１６】
図２は、排泄物処理用具１０の把持部材１の平面図である。把持部材１は、山折り線３ａ〜３ｄにおいてそれぞれ下方に折り曲げられており、下方に折り曲げられた側面部１ａ，１ｃ及び先端部１ｂ，１ｄは、爪４ａ〜４ｄを先端部１ｂ，１ｄに接着することにより固定されている。
【００１７】
具体的には、側面部１ａの爪４ａ，４ｂの裏面がそれぞれ先端部１ｂ，１ｄの左端の表面に接着されており、側面部１ｃの爪４ｃ，４ｄの裏面がそれぞれ先端部１ｂ，１ｄの右端の表面に接着されている。ここで、爪４ａ〜４ｄの裏側における接着には、澱粉製の糊又は合成樹脂製の接着剤等が使用される。なお、山折り線３ａ〜３ｄにおける折り曲げ角度は任意であるが、好適には三十〜九十度程度である。
【００１８】
側面部１ａは山折り線５ａ〜５ｄにおいて山折りに折り曲げられており、同様に、側面部１ｃは山折り線６ａ〜６ｄにおいて山折りに折り曲げられている。山折り線５ａ〜５ｄ，６ａ〜６ｄにおける折り曲げ角度は任意であるが、好適には三十〜六十度程度である。
【００１９】
把持部材１は、排泄物を把持する際に指を入れるための切り込み７ａ〜７ｄと、排泄物を把持する際に山折りにされる中央の仮山折り線８をも有する。切り込み７ａ〜７ｄは、排泄物処理用具１０を使用する際に使用者の指を入れるために設けられている。図２において、切り込み７ａ〜７ｄの周囲の実線は切断された線を表し、点線は切り込み７ａ〜７ｄに指が入れられた際に山折りにされる線を表す。
【００２０】
切り込み７ａと切り込み７ｄは同時に指を入れて使用されるために対をなしており、好適には仮山折り線８から同一の距離に設けられている。同様に、切り込み７ｂと切り込み７ｃも対をなしている。図２においては、二対（四つ）の切り込み７ａ〜７ｄが設けられているが、切り込みの数はこれに限定されない。すなわち、切り込みは一つ又は一対だけであってもよく、使用者の手の大きさの違いに細かく対応するために三対以上の切り込みがあってもよい。
【００２１】
排泄物処理用具１０が未使用の状態においては、切り込み７ａ〜７ｄの周囲の点線及び仮山折り線８における折り曲げはなされていない。把持部材１の中心には結合点９があり、結合点９において袋体２の底と結合している。結合点９における袋体２の把持部材１への結合は、通常、合成樹脂製の接着剤又はテープ等を使用した接着によりなされる。しかし、これに限らず、例えば把持部材１が合成樹脂である場合には、結合点９において袋体２と連続するように一体に成形されていてもよい。
【００２２】
なお、切り込み７ａ〜７ｄの周囲の点線は切断されていてもよい。この場合、切り込み７ａ〜７ｄは把持部材１の材料が存在しない切り抜き部分となる。
【００２３】
図３は、排泄物処理用具１０の把持部材１の底面図である。図３に示す把持部材１の各部分は、図２に示したものにそれぞれ対応している。
【００２４】
図４は、排泄物処理用具１０の使用時を示す説明図である。使用者は把持部材１の切り込み７ａ，７ｄにそれぞれ指を入れ、仮山折り線８にて山折りにされるように把持部材１に力を加える。ここで、使用者の手が小さい場合には、切り込み７ａ，７ｄではなく切り込み７ｂ，７ｃに指を入れて把持部材１に力を加える。
【００２５】
使用者が把持部材１に力を加えることにより仮山折り線８における山折りがなされると、把持部材１の折り曲げ可能な性質により、山折り線３ａ，３ｃにおける山折りが解消される。山折り線３ａ，３ｃにおける山折りが解消されると、山折り線５ｂ，５ｃ，６ｂ，６ｃにおける折り曲げ角度が増大し、山折り線５ａ，５ｄ，６ａ，６ｄにおける折り曲げ角度が減少する。これにより、山折り線３ｂ，３ｄにおける折り曲げ角度が増大する。
【００２６】
使用者は、切り込み７ａ，７ｄ又は切り込み７ｂ，７ｃに入れた指により把持部材１を保持及び操作し、地面に排泄されてしまった愛玩動物の糞などの排泄物２０の下に把持部材１の先端部１ｂ，１ｄを滑り込ませる。
【００２７】
把持部材１は、好適には仮山折り線８における折り曲げ角度を増大させて先端部１ｂと先端部１ｄを接触させたときに、先端部１ｂ，１ｄが同一平面上に存在するように調整されている。これにより、排泄物２０の下に先端部１ｂ，１ｄをスムーズに滑り込ませることが可能となる。
【００２８】
使用者は、先端部１ｂと先端部１ｄが接触するまで仮山折り線８における折り曲げ角度を増大させ、排泄物２０を先端部１ｂ，１ｄの上に載せた状態にする。前記状態のまま把持部材１を上方に持ち上げることにより、排泄物２０を地面から離れさせることができる。
【００２９】
なお、使用者が切り込み７ａ，７ｄ又は切り込み７ｂ，７ｃに指を入れる前に袋体２に手を入れれば、より衛生的に排泄物２０を処理することができる。この場合、使用者は袋体２を指に被せた状態で切り込み７ａ，７ｄ又は切り込み７ｂ，７ｃに指を入れることになるため、指が排泄物２０に誤って接触するおそれがなくなる。
【００３０】
図５は、排泄物２０を最終的に廃棄する際の排泄物処理用具１０の外観図である。使用者は、把持部材１を操作して排泄物２０を先端部１ｂ，１ｄのいずれかの上に載せた状態で、最終的に結合点９が底になるように袋体２を徐々に裏返しにする。使用者が袋体２を完全に裏返した際には、排泄物２０と把持部材１は袋体２の中に取り込まれている。その後、使用者が袋体２の上部の口を縛れば、排泄物処理用具１０は図５に示す廃棄可能な状態になる。
【００３１】
以上に説明した一連の使用方法において、使用者は排泄物２０に直接触れることなく、排泄物２０を廃棄することが可能である。また、使用者は常に把持部材１を介して排泄物２０を取り扱うため、使用者が袋体２のみを介した排泄物２０の触感を感じることはない。図５に示すような袋体２の口を縛った状態であれば、排泄物２０の臭いが外部に漏れることがないため、生ゴミとしてゴミ箱に投入することが可能である。
【００３２】
また、図５に示すように、排泄物２０が把持部材１の内側にある状態であれば、使用者が排泄物処理用具１０を横方向に圧縮したとしても、排泄物２０は袋体２の内部で把持部材１に挟まれることになる。そのため、使用者が排泄物処理用具１０を廃棄前にポケットなどに入れたとしても、袋体２のみを介した排泄物２０の触感が感じられることはない。
【００３３】
以上の説明において、把持部材１は同一の材料からなる連続した一つの部材であったが、仮山折り線８において二つの部分に切断されている場合であっても、上記と同様の効果を奏する。この場合、セロハンテープやビニールテープ等により仮山折り線８において把持部材１の前記二つの部分を接着するか、結合点９において把持部材１の前記二つの部分が個々に袋体２に接着されることになる。
【００３４】
また、把持部材１の切り込み、山折り線等の形状及び配置は一例であり、これらの形状及び配置が図示したものと異なっていても、把持部材１に対する使用者の操作により先端部１ｂと先端部１ｄが接触する限り、上記と同様の効果を奏する。なお、上記の説明では把持部材１は折り曲げ及び接着により形成されているが、一体成形により形成されていてもよい。
【００３５】
本考案による排泄物処理用具は、主として愛玩動物の排泄物の処理に使用されるものであるが、家畜など愛玩動物以外の動物の排泄物の処理にも使用することができる。また、病院や介護施設等における人間の排泄物の処理にも、本考案による排泄物処理用具を使用することは可能である。
【産業上の利用可能性】
【００３６】
愛玩動物及びその他の動物の排泄物の処理に適用できる。
【図面の簡単な説明】
【００３７】
【図１】本考案による排泄物処理器具の外観図である。
【図２】排泄物処理用具の把持部材の平面図である。（実施例１）
【図３】排泄物処理用具の把持部材の底面図である。（実施例１）
【図４】排泄物処理用具の使用時を示す説明図である。（実施例１）
【図５】排泄物を最終的に廃棄する際の排泄物処理用具の外観図である。（実施例１）
【符号の説明】
【００３８】
１    把持部材
１ａ，１ｃ  側面部
１ｂ，１ｄ  先端部
２    袋体
３ａ，３ｂ，３ｃ，３ｄ，５ａ，５ｂ，５ｃ，５ｄ，６ａ，６ｂ，６ｃ，６ｄ  山折り線
４ａ，４ｂ，４ｃ，４ｄ  爪
７ａ，７ｂ，７ｃ，７ｄ  切り込み
８    仮山折り線
９    結合点
１０  排泄物処理用具
２０  排泄物
【図１】
0003104728.tif 000003
【図２】
0003104728.tif 000004
【図３】
0003104728.tif 000005
【図４】
0003104728.tif 000006
【図５】
0003104728.tif 000007